(57)【要約】【課題】  調理器本体に対し感震装置を感震器の水平を容易に確保して取付けることができる等の利点を有する感震装置付きガス調理器である。【解決手段】  こんろ本体２のバーナからの熱が伝わりにくい箇所として、こんろ本体内の後面側に位置する隅部のうちのガス接続口から遠い側の隅部の後面側の底板６の部分に感震装置９を取付けた。感震装置９の取付けは、そのケース１３の底壁１３ａと底板６との間にコイルばね１４を介挿し、底壁１３ａの周囲を３本のねじ１５で底板６に螺着することによって行った。設置したこんろ本体２が水平から傾いていることがあり、こんろ本体２に取付けた感震装置９の感震器１０が傾くが、感震装置９の傾斜方向下降側のねじ１５を緩めて、こんろ本体２の底板６に対するねじ１５の締め量を調節すれば、感震装置９の傾斜方向下降側をばね１４の弾性力で傾き角と同量の角度θだけ押上げることができ、感震器１０を水平に調整できる。【選択図】        図３
2006023057.tif 000002
【特許請求の範囲】
【請求項１】
こんろ本体のバーナからの熱が伝わりにくい箇所を取付け部として、前記取付け部に感震器を備えた感震装置を、前記取付け部と感震装置との間に弾性手段を介挿して前記感震装置の周囲３箇所以上のねじ手段で締め付けることにより、姿勢制御可能に取付けたことを特徴とする感震装置付きガス調理器。
【請求項２】
前記弾性手段としてばねを前記感震装置の中央部付近と前記取付け部との間に配置したことを特徴とする請求項１記載の感震装置付きガス調理器。
【請求項３】
前記弾性手段としてばねを前記各ねじ手段に嵌装して、前記感震装置と前記取付け部との間に配置したことを特徴とする請求項１記載の感震装置付きガス調理器。
【請求項４】
前記取付け部がこんろ本体の底板の隅部であることを特徴とする請求項１〜３のいずれかの項に記載の感震装置付きガス調理器。
【発明の詳細な説明】
【技術分野】
【０００１】
本発明は、調理器本体に感震装置を取付けたガス調理器に関し、特に感震装置の取付け構造に関する。
【背景技術】
【０００２】
ガスこんろに物がぶつかったり地震による揺れで、ガスこんろが大きな衝撃を受けると、火災が発生する恐れがあるため、こんろ本体に感震装置を取付けて、こんろへの大きな衝撃があったときにその振動を検知し、バーナへの燃料ガスの供給を遮断して、バーナの燃焼を停止させるようにしたものが知られている（例えば特許文献１を参照）。
【０００３】
この特許文献１では、こんろ本体の側板の内側面に板ばね等の取付媒体を直角に片持ち状態で水平に取付け、その取付媒体の先端に感震装置の感震器（振動センサ部）を取付けて、調理などの使用による小さな通常の振動は取付媒体で吸収し、地震などの衝撃による大きな異常振動は取付媒体を介して感震器に伝え、感震器で異常振動を検知させるとしている。
【０００４】
しかしながら、特許文献１は、ガスこんろに衝撃が加わったときに、こんろ本体に対し上下方向に触れないように不動に取付けた感震器によって、こんろ本体の振動を検知するものではなく、こんろ本体に対し上下方向に振動する片持ちの取付媒体の先端に感震器を取付けることによって、こんろ本体の振動を検知するものである。したがって、特許文献１の感震器は、こんろ本体に対し取付媒体によって上下方向に振り回されるように振動するため、こんろ本体の振動を正確に検知することはできない。
【０００５】
また特許文献１では、取付媒体をこんろ本体の側板の内側面に直角に取付けることによって、取付媒体先端の感震器がこんろ本体内の中央方向に突き出しているので、感震器にバーナからの熱が伝わりやすく、感震器が熱影響によって劣化しやすい問題もある。
【０００６】
一方、石油ファンヒータ等の燃焼器具についてではあるが、器具本体の底板上の近くに１対の水平な案内レールを設けて、器具本体の制御素子や感震装置を取付けた基板を案内レールに差し込んで、基板を水平に取付けるようにしたものが知られている（例えば特許文献２を参照）。
【０００７】
この特許文献２では、器具本体に対し制御素子や感震装置を水平に取付けることができ、燃焼器具への衝撃による器具本体の振動を正確に検知することはできるが、感震装置等を水平に取付けるためには１対の案内レールを必要とし、取付構造が大掛かりになる。この燃焼器具では、基板を箱状の本体ケースで覆って、その上方に燃焼部を形成するので、燃焼部からの熱影響の問題はない。
【特許文献１】特開平９−２４３０７３号公報
【特許文献２】特開平９−５３８２０号公報
【発明の開示】
【発明が解決しようとする課題】
【０００８】
したがって、本発明の課題は、上述の現状に鑑み、ガスこんろなどガス調理器の本体に対し感震装置を、感震器の水平を容易に確保して且つこんろ本体からの熱影響を低減して取付けることができ、感震器によって地震などの衝撃による調理器本体の振動を正確に検知することが可能で、感震器の熱による劣化も防止した感震装置付きガス調理器を提供することである。
【課題を解決するための手段】
【０００９】
上記課題は本発明によって達成される。要約すれば、本発明の感震装置付きガス調理器は、調理器本体のバーナからの熱が伝わりにくい箇所を取付け部として、前記取付け部に感震器を備えた感震装置を、前記取付け部と感震装置との間に弾性手段を介挿して前記感震装置の周囲３箇所以上のねじ手段で締め付けることにより、姿勢制御可能に取付けたことを特徴とする。本発明によれば、前記弾性手段としてばねを前記感震装置の中央部付近と前記取付け部との間に配置することができる。あるいは、ばねを前記各ねじ手段に嵌装して、前記感震装置と前記取付け部との間に配置することができる。好ましくは、前記取付け部が調理器本体の底板の隅部である。
【００１０】
ガス調理器を設置するキッチンカウンターの傾きや、キッチンカウンターへのガス調理器の設置誤差等によって、調理器本体が水平から傾いていることがあり、調理器本体に取付けた感震装置の感震器が傾くが、本願発明では、感震装置とその取付け部との間に弾性手段を介挿して、取付け部に感震装置をその周囲３箇所以上でねじ手段により取付けるので、取付け部に対するねじの締め量を調節することにより、容易に感震装置の姿勢を制御して感震器の水平を確保することができる。したがって、感震器によって地震などの衝撃による調理器本体の振動を正確に検知することができる。
【００１１】
また本発明では、調理器本体の底板の隅など、調理器本体のバーナからの熱が伝わりにくい箇所を取付け部として感震装置を取付けるが、近年のガス調理器の高機能化に伴い、調理器本体内部の実装部品が多く過密状態になって、調理器本体内部の冷却が保ちにくく、蓄熱した熱によって感震器が熱影響を受けやすい。本願発明では、取付け部と感震装置との間にばねを介挿しているので、取付け部から感震装置に伝わる熱を遮断することでき、感震器への熱影響を低減して熱による劣化を防止することができる。
【発明の効果】
【００１２】
本発明の感震装置付きガス調理器によれば、調理器本体に対し感震装置を、感震器の水平を容易に確保して且つ調理器本体からの熱影響を低減して取付けることができ、感震器によって地震などの衝撃による調理器本体の振動を正確に検知することが可能で、感震器の熱による劣化も防止することができる。
【発明を実施するための最良の形態】
【００１３】
以下、図面を参照して本発明の実施例を詳述する。図１は、本発明の一実施例に係る感震装置付きガスこんろを示す斜視図である。図１において、ガス調理器としてのガスこんろ１は、こんろ本体２の上面の開口を塞ぐ天板３に開設した２つの開口のそれぞれにバーナ４を臨ませ、こんろ本体２の前面に設けたつまみ５を押し回すことによってバーナ４を着火するようになっている。こんろ本体２の下面を形成する枠状の底板６の四隅にはゴム製の脚部７が設けられており、ガスこんろ１は脚部７をキッチンカウンターの設置台８に着地させて設置される。
【００１４】
こんろ本体２には、バーナ４からの熱が伝わりにくい箇所に画成した水平な取付け部に感震装置９が取付けられており、本実施例では、こんろ本体２内の後面側に位置する隅部のうちの図示しないガス接続口から遠い側の隅部の後面側の底板６の部分に感震装置９を取付けた。この隅部の位置は、バーナ４からの熱が伝わりにくく、かつ地震などの衝撃によりガス接続口を支点にしてこんろ本体２が動いて、こんろ本体２の振動を敏感に受けることができる。
【００１５】
感震装置９は、図２および３に示すように、感震器（振動センサ）１０と、水準器１１と、電気配線その他を装備した感震器基板１２をケース１３内に収容してなり、基板１２は周囲３箇所をケース１３の底壁１３ａに設けた対応するエンボス１３ｂにねじ１３ｃで水平に取付けられている。ケース１３の上面の開口は、開口の一側のフランジ１３ｇに蓋１３ｄをねじ１３ｆによって止めて開閉可能に閉じられる。
【００１６】
感震器１０は、鋼球式の水平型振動センサで、ガスこんろ１に衝撃が加えられたときに、こんろ本体２の振動を鋼球の水平方向の移動による接点のオンオフで検知するようになっている。この感震器１０は、水平に対し例えば±３°以内が正常な作動領域である。また感震器１０の耐熱温度は例えば７０℃である。
【００１７】
ガスこんろ１は、こんろ各部を制御する図示しない制御部を備える。該制御部は、感震器１０からの振動検知信号を受けると、信号処理によって振動が地震等の大きな衝撃によるものか否かを判定し、振動が大きな衝撃によるものと判定した場合には、バーナ４への燃料ガスの供給を断って燃焼を停止させるように、バーナ４の燃料ガス遮断弁を制御し、またその旨の警報等を出す。
【００１８】
本実施例によれば、感震装置９のケース１３の底壁１３ａの中央部付近に、こんろ本体２の底板６に設けた凹部６ａに対応する浅い凹部１３ｅが設けられ、この凹部６ａと１３ｅとの間に弾性手段としてコイルばね１４を介挿して、ケース１３の底壁１３ａの周囲３箇所以上をねじ手段、本例では、３本のねじ１５でこんろ本体２の底板６に螺着することにより、感震装置９を底板６に取付けている。感震装置９を螺着するねじ１５は、取付けのバランスをよくするために、ばね１４を中心とした正三角形の頂点になるように配置することが好ましい。またねじ１５は４本またはそれ以上でもよく、同様にばね１４を中心とした正多角形の頂点になるように配置することがよい。弾性手段としては、コイルばねの他に板ばね等を使用することもできる。
【００１９】
本実施例の感震装置付きガスこんろは、以上のように構成され、こんろ本体２の底板６にケース１３のねじ１５を締め込んで感震装置９を取付ける。このとき、ガスこんろ１を設置するキッチンカウンターの設置台８の傾きや、設置台８へのガスこんろ１の設置誤差等によって、設置したこんろ本体２が水平から傾いていることがあり、こんろ本体２に取付けた感震装置９の感震器１０が傾く。その場合には、水準器１１を見ながら感震装置９の傾斜方向下降側のねじ１５を緩めて、こんろ本体２の底板６に対するねじ１５の締め量を調節すれば、感震装置９の傾斜方向下降側をばね１４の弾性力で傾き角と同量の角度θだけ押上げることができ、感震装置９の感震器１０を水平に調整することができる。これにより、感震器１０によって地震などの衝撃によるこんろ本体２の振動を正確に検知して、バーナ４の燃焼停止など必要な処置を適確に取ることができる。
【００２０】
またこんろ本体２の底板６と感震装置９との間にばね１４を介挿しているので、こんろ本体２内に蓄熱した熱が底板６から感震装置９に伝わるのを遮断することでき、こんろ本体２のバーナ４からの熱が伝わりにくい隅部に感震装置９を取付けることと相俟って、感震装置９に対するこんろ本体２からの熱影響を低減でき、感震器１０の熱による劣化を防止することができる。これにより、感震器１０の誤作動や不作動をなくすことができる。
【００２１】
本発明の他の実施例を図４に示す。本実施例は、感震装置９をこんろ本体２の底板６に取付けるねじ１５にコイルばね１６を嵌装した点が、図２および３を参照して説明した実施例と異なり、その他の構成は同じである。図４において図２および３に付した符号と同一の符号は同一の部材を示す。
【００２２】
本実施例においても、こんろ本体２の底板６にねじ１５を締め込んで感震装置９を取付けた際、ガスこんろ１を設置したキッチンカウンターの設置台８の傾き等で、こんろ本体２に取付けた感震装置９の感震器１０が傾いていたら、感震装置９の傾斜方向下降側のねじ１５を緩めて、こんろ本体２の底板６に対するねじ１５の締め量を調節すれば、感震装置９の傾斜方向下降側を緩めたねじ１５のばね１６で傾き角と同量の角度だけ押上げることができ、感震器１０を水平に調整できる。
【００２３】
またこんろ本体２の底板６と感震装置９との間に介挿したばね１６によって、こんろ本体２内に蓄熱した熱が底板６から感震装置９に伝わりづらくしているので、こんろ本体２のバーナ４からの熱が伝わりにくい隅部に感震装置９を取付けることと相俟って、感震装置９に対するこんろ本体２からの熱影響を低減でき、感震器１０の熱による劣化を防止することができる。
【００２４】
以上の実施例では、いずれも、感震装置９は、こんろ本体２内の後面側に位置する隅部のうちの図示しないガス接続口から遠い側の隅部の後面側の底板６の部分に感震装置９を取付けたが、こんろ本体２外の後面側に位置する隅部、例えばその隅部の後面側の底板６の延長部分に感震装置９を取付けることもできる。この位置は、設置台８に対しこんろ本体２を支える脚部７により近いので、地震等の衝撃によるこんろ本体２の振動をより直接的に検知することができ、検知感度がより高まる。
【００２５】
また実施例では、こんろ本体２に既にある底板６を取付け部として、その隅部に感震装置９を取付けたが、こんろ本体２のバーナ４からの熱が伝わりにくい隅部等に新たに取付け部を設けて、そこに感震装置を取付けてもよい。さらに感震装置９を取付けるこんろ本体２の取付け部は、底板６のように水平板としたが、こんろ本体２の側板を感震装置９の取付け部としてもよい。その場合には、感震装置９のケース１３に縦方向の取付け板を設けて、取付け板とこんろ本体２の側板との間にばねを介挿し、取付け板を側板にねじ止めすることによって、こんろ本体２に感震装置９を水平姿勢に取付ければよい。同様に、感震器１０が水平から傾いていたら、側板に対するねじの締め量を調節することにより、感震器１０の水平を得ることができる。
【００２６】
以上、本発明の実施例を説明したが、本発明は実施例のものに限定されるものではなく、必要に応じて種々変更することが可能である。例えば感震装置は、縦型の感震器を備えたものも用いることができ、実施例で説明した水平型の感震器を備えた感震装置に準じて、こんろ本体に姿勢制御可能に取付ければよい。またガスこんろは、卓上型のガスこんろばかりでなく、ビルトイン式のガスこんろにも適用できる。さらには本発明は、グリル付きこんろや単体のグリルなど広くガス調理器に適用できる。
【図面の簡単な説明】
【００２７】
【図１】本発明の一実施例に係る感震装置付きガスこんろを示す斜視図である。
【図２】図１のガスこんろの本体の隅部に取付ける感震装置の取付け構造を示す分解斜視図である。
【図３】図２の感震装置の取付け構造を示す断面図である。
【図４】本発明の他の実施例における感震装置の取付け構造を示す断面図である。
【符号の説明】
【００２８】
１    ガスこんろ                        ２    こんろ本体
４    バーナ                            ６    底板
８    設置台                            ９    感震装置
１０  感震器                            １１  水準器
１２  感震器基板                        １３  ケース
１３ａ  底壁                            １４、１６  コイルばね
１５    ねじ
【図１】
2006023057.tif 000003
【図２】
2006023057.tif 000004
【図３】
2006023057.tif 000005
【図４】
2006023057.tif 000006